(57)【要約】【課題】より簡易に所定のエレベータの呼び付け登録を行なうことのできるエレベータの運転方法および装置の提供。【解決手段】同一ビル内の近傍に並設された段違い階床を２台のエレベータ１、２によりサービスするエレベータの運転方法において、それぞれのエレベータ１、２が共にサービスする共通階床の乗場に兼用乗場上釦１ｕ〜４ｕおよび兼用乗場下釦２ｄ〜５ｄを設けるとともに、兼用乗場上釦１ｕ〜４ｕの所定操作に応じて、ビルの上層階床を段違いサービスする一方のエレベータ１に対して呼び付け登録し、かつ、兼用乗場下釦２ｄ〜５ｄの所定操作に応じて、ビルの下層階床を段違いサービスする他方のエレベータ２に対して呼び付け登録する。【選択図】図１
2006044876.tif 000002
【特許請求の範囲】
【請求項１】
同一ビル内の近傍に並設された段違い階床を２台のエレベータによりサービスするエレベータの運転方法において、
それぞれの前記エレベータが共にサービスする共通階床の乗場に兼用乗場上釦および兼用乗場下釦を設けるとともに、前記兼用乗場上釦の所定操作に応じて、前記ビルの上層階床を段違いサービスする一方のエレベータに対して呼び付け登録し、かつ、前記兼用乗場下釦の所定操作に応じて、前記ビルの下層階床を段違いサービスする他方のエレベータに対して呼び付け登録することを特徴とするエレベータの運転方法。
【請求項２】
前記エレベータの乗場に、乗かごの運転状態を案内する表示灯を備えるとともに、前記兼用乗場上釦および前記兼用乗場下釦の所定操作に応じて前記表示灯の案内表示を変化させ、呼び付け登録がなされたことを報知することを特徴とする請求項１記載のエレベータの運転方法。
【請求項３】
前記兼用乗場上釦および前記兼用乗場下釦の所定操作は、所定時間内に行われる２度連続した操作であることを特徴とする請求項１記載のエレベータの運転方法。
【請求項４】
前記兼用乗場上釦の所定操作による呼び付け登録に応じて、前記ビルの上層階床を段違いサービスする一方のエレベータは乗かごを呼び付け登録階床に直行させるとともに、前記兼用乗場下釦の所定操作による呼び付け登録に応じて、前記ビルの下層階床を段違いサービスする他方のエレベータは乗かごを呼び付け登録階床に直行させることを特徴とする請求項１記載のエレベータの運転方法。
【請求項５】
前記表示灯は、呼び付け登録に応じて前記乗かごが呼び付け登録階床まで移動している間、第１の点滅速度で点滅点灯するとともに、前記乗かごの呼び付け登録階床到着に応じて前記第１の点滅速度より早い第２の点滅速度で点滅点灯し、かつ、呼び付け登録終了に応じて連続点灯に切り替わることを特徴とする請求項２記載のエレベータの運転方法。
【請求項６】
同一ビル内の近傍に並設された段違い階床を２台のエレベータによりサービスするエレベータの運転装置において、
それぞれの前記エレベータが共にサービスする共通階床の乗場に兼用乗場上釦および兼用乗場下釦を設けるとともに、前記兼用乗場上釦の所定操作に応じて、前記ビルの上層階床を段違いサービスする一方のエレベータに対して呼び付け登録する登録手段と、前記兼用乗場下釦の所定操作に応じて、前記ビルの下層階床を段違いサービスする他方のエレベータに対して呼び付け登録する登録手段とを設けたことを特徴とするエレベータの運転装置。
【発明の詳細な説明】
【技術分野】
【０００１】
本発明は、エレベータの運転方法および装置に係り、特に、同一ビル内の近傍に並設された段違い階床を２台のエレベータによりサービスするエレベータの運転方法および装置に関する。
【背景技術】
【０００２】
同一ビル内の近傍に並設された段違い階床を複数のエレベータによりサービスするエレベータにあって、群乗合ゾーン、すなわち、複数のエレベータが共にサービスする共通階床の乗場から所定のエレベータがサービスする所定階床へ行くために乗場釦を操作した際、他のエレベータに対して乗場呼びが登録なされ到着した乗かごに乗り込んでしまうと、乗客が所望する前記所定階床のサービスが当該エレベータで行われることがないことから、前記所定階床と異なる他の階床で一端降り、改めて乗場釦を操作し乗かごが来るのを待ってから所定のエレベータにより前記所定階床へ行くことを要し、したがって、使い勝手が悪いとともに、運転効率を悪化させる要因となっていた。
【０００３】
このため、従来、段違い階床をサービスする複数のエレベータにあって、複数グループのエレベータの内、サービス階を異にしている階にサービスするエレベータグループ側の乗場呼びを所定時間以上操作したことを検出する検出手段を設け、この手段が動作したとき、サービス階を異にしている階にサービスするエレベータグループを登録する手段を設けたものがある（例えば、特許文献１参照）。
【特許文献１】特開平１０−２５８９７３号公報  （段落番号００１１〜００１５、図１）
【発明の開示】
【発明が解決しようとする課題】
【０００４】
しかしながら、前述した従来のものでは、複数のエレベータのそれぞれに対応する乗場釦を設置し、これらの乗場釦を所定時間以上操作したとき対応するエレベータに対して呼び付け登録がなされるものであることから、複数のエレベータが共にサービスする共通階床の乗場にも乗場釦を複数設置しなければならないとともに、それぞれの乗場釦に対応する特定の呼び検出リレー等も要することから設置費用が嵩むという問題があった。特に、既設の複数のエレベータをエレベータにリニューアルする際に新設部材の点数が増えることから、費用が嵩むという問題があった。
【０００５】
本発明は、上述した従来技術における実情からなされたもので、その目的は、より簡易に所定のエレベータの呼び付け登録を行なうことのできるエレベータの運転方法および装置を提供することにある。
【課題を解決するための手段】
【０００６】
前記目的を達成するために、本発明の請求項１に係る発明は、同一ビル内の近傍に並設された段違い階床を２台のエレベータによりサービスするエレベータの運転方法において、それぞれの前記エレベータが共にサービスする共通階床の乗場に兼用乗場上釦および兼用乗場下釦を設けるとともに、前記兼用乗場上釦の所定操作に応じて、前記ビルの上層階床を段違いサービスする一方のエレベータに対して呼び付け登録し、かつ、前記兼用乗場下釦の所定操作に応じて、前記ビルの下層階床を段違いサービスする他方のエレベータに対して呼び付け登録するものとしている。
【０００７】
この本発明の請求項１に係る発明では、それぞれのエレベータが共にサービスする共通階床の乗場に設けられた兼用乗場上釦を所定操作すると、ビルの上層階床を段違いサービスする一方のエレベータに対して呼び付け登録がなされ、一方、兼用乗場下釦を所定操作すると、ビルの下層階床を段違いサービスする他方のエレベータに対して呼び付け登録がなされる。このように、それぞれのエレベータが共にサービスする共通階床の乗場に設けられる兼用乗場上釦および兼用乗場下釦の所定操作により対応するエレベータに対して呼び付け登録がなされることから、部材点数を低減し、より簡易に所定のエレベータの呼び付け登録を行なうことができる。
【０００８】
本発明の請求項２に係る発明は、前記エレベータの乗場に、乗かごの運転状態を案内する表示灯を備えるとともに、前記兼用乗場上釦および前記兼用乗場下釦の所定操作に応じて前記表示灯の案内表示を変化させ、呼び付け登録がなされたことを報知するものとしている。
【０００９】
この請求項２に係る発明では、兼用乗場上釦および兼用乗場下釦の所定操作に応じて呼び付け登録が行われると、エレベータの乗場に備えられた表示灯の案内表示を変化させ、呼び付け登録がなされた旨を利用者に報知する。これによって、特別な案内表示手段を設けることなく利用者に呼び付け登録の報知を行なうことができる。
【００１０】
本発明の請求項３に係る発明は、前記兼用乗場上釦および前記兼用乗場下釦の所定操作は、所定時間内に行われる２度連続した操作であるものとしている。
【００１１】
この請求項３に係る発明では、兼用乗場上釦および兼用乗場下釦を所定時間内に２度連続して操作することにより呼び付け登録がなされる。このように安易な方法で呼び付け登録が可能であることから、利用者はその操作方法に戸惑うことなくエレベータの呼び付け機能を活用し所望階床へと向かうことができる。
【００１２】
本発明の請求項４に係る発明は、前記兼用乗場上釦の所定操作による呼び付け登録に応じて、前記ビルの上層階床を段違いサービスする一方のエレベータは乗かごを呼び付け登録階床に直行させるとともに、前記兼用乗場下釦の所定操作による呼び付け登録に応じて、前記ビルの下層階床を段違いサービスする他方のエレベータは乗かごを呼び付け登録階床に直行させるものとしている。
【００１３】
この請求項４に係る発明では、呼び付け登録に応じて対応するエレベータの乗かごを呼び付け登録階床に直行させることから、呼び付け登録をした利用者の待ち時間を短くすることができる。
【００１４】
本発明の請求項５に係る発明は、前記表示灯は、呼び付け登録に応じて前記乗かごが呼び付け登録階床まで移動している間、第１の点滅速度で点滅点灯するとともに、前記乗かごの呼び付け登録階床到着に応じて前記第１の点滅速度より早い第２の点滅速度で点滅点灯し、かつ、呼び付け登録終了に応じて連続点灯に切り替わるものとしている。
【００１５】
この請求項５に係る発明では、呼び付け登録がなされると表示灯は、乗かごが呼び付け登録階床まで移動している間、第１の点滅速度で点滅点灯するとともに、乗かごが呼び付け登録階床に到着すると第２の点滅速度で点滅点灯し、かつ、呼び付け登録が終了すると連続点灯に切り替えられる。これにより、呼び付け登録の利用者および他の利用者はエレベータの状態を順次把握することが可能となり、エレベータを待つことに伴う憔悴感を低減することができる。
【００１６】
この請求項６に係る発明では、同一ビル内の近傍に並設された段違い階床を２台のエレベータによりサービスするエレベータの運転装置において、それぞれの前記エレベータが共にサービスする共通階床の乗場に兼用乗場上釦および兼用乗場下釦を設けるとともに、前記兼用乗場上釦の所定操作に応じて、前記ビルの上層階床を段違いサービスする一方のエレベータに対して呼び付け登録する登録手段と、前記兼用乗場下釦の所定操作に応じて、前記ビルの下層階床を段違いサービスする他方のエレベータに対して呼び付け登録する登録手段とを設けたことを特徴とする。
【００１７】
この本発明の請求項６に係る発明では、それぞれのエレベータが共にサービスする共通階床の乗場に設けられた兼用乗場上釦を所定操作すると、ビルの上層階床を段違いサービスする一方のエレベータに対して呼び付け登録がなされ、一方、兼用乗場下釦を所定操作すると、ビルの下層階床を段違いサービスする他方のエレベータに対して呼び付け登録がなされる。このように、それぞれのエレベータが共にサービスする共通階床の乗場に設けられる兼用乗場上釦および兼用乗場下釦の所定操作により対応するエレベータに対して呼び付け登録がなされることから、部材点数を低減し、より簡易に所定のエレベータの呼び付け登録を行なうことができる。
【発明の効果】
【００１８】
本発明によれば、それぞれのエレベータが共にサービスする共通階床の乗場に設けられる兼用乗場上釦および兼用乗場下釦の所定操作により対応するエレベータに対して呼び付け登録がなされることから、部材点数を低減し、より簡易に所定のエレベータの呼び付け登録を行なうことができ、これによって、設置費用の低減を図ることができる。特に、既設の複数のエレベータをエレベータにリニューアルする際に要する費用を安価なものとすることができる。
【００１９】
また、エレベータの乗場に備えられた表示灯の案内表示を変化させることにより呼び付け登録がなされた旨を利用者に報知することから、特別な案内表示手段を設けることなく、特に、既設の複数のエレベータをエレベータにリニューアルする際に新設の案内手段を設けることなく、呼び付け登録の報知を行なうことができ、費用の低減を図ることができる。
【００２０】
さらに、兼用乗場上釦および兼用乗場下釦を所定時間内に２度連続して操作するという安易な方法で呼び付け登録が可能であることから、利用者はその操作方法に戸惑うことなくエレベータの呼び付け機能を活用し所望階床へと向かうことができる。
【００２１】
さらにまた、呼び付け登録に応じて対応するエレベータの乗かごを呼び付け登録階床に直行させることから、呼び付け登録をした利用者の待ち時間を短くすることができる。
【００２２】
また、呼び付け登録に応じて表示灯は、第１の点滅速度で点滅点灯して乗かごが呼び付け登録階床に向けて移動していること、第２の点滅速度で点滅点灯して乗かごが呼び付け登録階床に到着したこと、連続点灯にて呼び付け登録が終了したことを報知することから、呼び付け登録の利用者および他の利用者はエレベータの状態を順次把握することが可能となり、エレベータを待つことに伴う憔悴感を低減することができる。
【発明を実施するための最良の形態】
【００２３】
以下、本発明に係るエレベータの運転方法の実施形態を図に基づいて説明する。
【００２４】
図１は本発明のエレベータの運転方法および装置の実施形態を示すフローチャート、図２は図１の運転方法および装置が適用されるエレベータの構成図である。
【００２５】
ビル内には図２に示すように、中央演算処理部１ａにより制御される１号機エレベータ１および中央演算処理部２ａにより制御される２号機エレベータ２が併設され、１号機エレベータ１は１階床、２階床、３階床、４階床、５階床、およびＲ階床をサービスし、２号機エレベータ２は１階床、２階床、３階床、４階床、５階床、およびＢ階床をサービスするようになっている。
【００２６】
そして、それぞれのエレベータ１、２が共にサービスする共通階床、すなわち１階床〜５階床の乗場には兼用乗場上釦１ｕ、２ｕ、３ｕ、４ｕおよび兼用乗場下釦２ｄ、３ｄ、４ｄ、５ｄが設けられるとともに、５階床乗場には乗場上釦５ｕ、Ｒ階床乗場には乗場下釦Ｒｄ、１階床乗場には乗場下釦１ｄ、Ｂ階の乗場には乗場上釦Ｂｕが設けられ、兼用乗場上釦１ｕ〜４ｕの所定操作、すなわち所定時間内に行われる２度連続した操作に応じて１号機エレベータ１に対して呼び付け登録がなされ、かつ、兼用乗場下釦２ｄ〜５ｄの所定操作、すなわち所定時間内に行われる２度連続した操作に応じて２号機エレベータ２に対して呼び付け登録がなされる。
【００２７】
また、１号機エレベータ１の乗場には、図示しない乗かごの運転状態を案内する表示灯１０が備えられるとともに、２号機エレベータ２の乗場には、図示しない乗かごの運転状態を案内する表示灯２０が備えられ、兼用乗場上釦１ｕ〜４ｕおよび兼用乗場下釦２ｄ〜５ｄの所定操作に応じて表示灯１０、２０の案内表示を変化させ、呼び付け登録がなされたことを報知するようになっている。
【００２８】
ここで図１を用いて１号機エレベータ１および２号機エレベータ２の動きを説明する。なお、１号機エレベータ１および２号機エレベータ２のそれぞれがサービスする１階床〜５階床を共通サービスゾーンとして説明する。
【００２９】
手順Ｓ１に示すように兼用乗場上釦１ｕ〜４ｕおよび兼用乗場下釦２ｄ〜５ｄのいずれかが操作された場合、手順Ｓ２として前記操作が１度押しであるかどうかが判断される。このとき１度押しであることが判断されると、手順Ｓ３として共通サービスゾーンを対象とした平常の群管理制御がなされ、１号機エレベータ１および２号機エレベータのいずれかから効率よくサービス可能なエレベータが選択され、手順Ｓ４として登録階床に選択したエレベータの乗かごをサービスする。このとき表示灯１０、２０は連続点灯により乗かごの位置を案内する。
【００３０】
前述した手順Ｓ２で兼用乗場上釦１ｕ〜４ｕおよび兼用乗場下釦２ｄ〜５ｄのいずれかの操作が１度押しでないことが判断されると、手順Ｓ５として前記操作が兼用乗場上釦１ｕ〜４ｕの２度連続した操作であるかどうかが判断される。このとき兼用乗場上釦１ｕ〜４ｕの２度連続した操作であることが判断されると、手順Ｓ６として１号機エレベータ１に対して呼び付け登録がなされ、手順Ｓ７として１号機エレベータ１の乗かごは呼び付け登録階床に直行する。この間、表示灯１０は乗かごが呼び付け登録階床まで移動している間、第１の点滅速度で点滅点灯するとともに、乗かごが呼び付け登録階床に到着すると第２の点滅速度で点滅点灯する。
【００３１】
前述した手順Ｓ５で兼用乗場上釦１ｕ〜４ｕの２度連続した操作でないことが判断されると、手順Ｓ８として兼用乗場上釦１ｕ〜４ｕおよび兼用乗場下釦２ｄ〜５ｄのいずれかの操作が兼用乗場下釦２ｄ〜５ｄの２度連続した操作であるかどうかが判断される。このとき兼用乗場下釦２ｄ〜５ｄの２度連続した操作であることが判断されると、手順Ｓ９として２号機エレベータ２に対して呼び付け登録がなされ、手順Ｓ１０として２号機エレベータ２の乗かごは呼び付け登録階床に直行する。この間、表示灯１０は乗かごが呼び付け登録階床まで移動している間、第１の点滅速度で点滅点灯するとともに、乗かごが呼び付け登録階床に到着すると第２の点滅速度で点滅点灯する。
【００３２】
なお、乗場上釦５ｕ、乗場下釦Ｒｄ、乗場下釦１ｄおよび乗場上釦Ｂｕの操作に応じた１号機エレベータ１および２号機エレベータ２の処理は平常の群管理制御であることから説明を省略する。
【００３３】
本実施形態によれば、兼用乗場上釦１ｕ〜４ｕおよび兼用乗場下釦２ｄ〜５ｄの所定操作により対応するエレベータに対して呼び付け登録がなされることから、部材点数を低減し、より簡易に所定のエレベータの呼び付け登録を行なうことができ、これによって、設置費用の低減を図ることができる。特に、既設の複数のエレベータをエレベータにリニューアルする際に要する費用を安価なものとすることができる。また、表示灯１０、２０の案内表示を変化させることにより呼び付け登録がなされた旨を利用者に報知することから、特別な案内表示手段を設けることなく、特に、既設の複数のエレベータをエレベータにリニューアルする際に新設の案内手段を設けることなく、呼び付け登録の報知を行なうことができ、費用の低減を図ることができる。さらに、兼用乗場上釦１ｕ〜４ｕおよび兼用乗場下釦２ｄ〜５ｄを所定時間内に２度連続して操作するという安易な方法で呼び付け登録が可能であることから、利用者はその操作方法に戸惑うことなくエレベータの呼び付け機能を活用し所望階床へと向かうことができる。さらにまた、呼び付け登録に応じて対応するエレベータの乗かごを呼び付け登録階床に直行させることから、呼び付け登録をした利用者の待ち時間を短くすることができる。また、表示灯１０、２０は、第１の点滅速度で点滅点灯して乗かごが呼び付け登録階床に向けて移動していること、第２の点滅速度で点滅点灯して乗かごが呼び付け登録階床に到着したこと、連続点灯にて呼び付け登録が終了したことを報知することから、呼び付け登録の利用者および他の利用者はエレベータの状態を順次把握することが可能となり、エレベータを待つことに伴う憔悴感を低減することができる。
【００３４】
なお、本実施形態では、呼び付け登録に応じて対応するエレベータの乗かごを呼び付け登録階床に直行させるようにしたが、本発明はこれに限らず、呼び付け登録を通常の乗場呼び登録に優先させること無く、全体の効率を考慮した制御を行うようにしても良い。
【図面の簡単な説明】
【００３５】
【図１】本発明のエレベータの運転方法および装置の実施形態を示すフローチャートである。
【図２】図１の運転方法および装置が適用されるエレベータの構成図である。
【符号の説明】
【００３６】
１    １号機エレベータ
２    ２号機エレベータ
１ｕ  兼用乗場上釦
２ｕ  兼用乗場上釦
３ｕ  兼用乗場上釦
４ｕ  兼用乗場上釦
５ｕ  乗場上釦
Ｂｕ  乗場上釦
１ｄ  乗場下釦
２ｄ  兼用乗場下釦
３ｄ  兼用乗場下釦
４ｄ  兼用乗場下釦
５ｄ  兼用乗場下釦
Ｒｕ  乗場下釦
１０    表示灯
２０  表示灯
【図１】
2006044876.tif 000003
【図２】
2006044876.tif 000004